(57)【要約】【課題】ジュース・ライター用オイルなどの液状異物を、遊技機に備えた上受け皿又は下受け皿に流されたとしても、その液状異物を外部に排出し得る機構を備えた弾球遊技機を提供することである。【解決手段】遊技機の遊技球を受ける上受け皿７又は遊技球を貯留する下受け皿１３に、ジュース・ライター用オイルなどの液状異物Ｌを排出する、液状異物第一排出機構１８・液状異物第二排出機構１６を形成する。この液状異物第一排出機構１８は、例えば上受け皿７の下面７ｃにて内部空洞７ｄと貫通する下面貫通穴１８ａをもって構成し、液状異物第二排出機構１６は、下受け皿１３を構成している余剰遊技球貯留部１３ａの最深部位に備えられている開閉扉１５に、表面から裏面にわたり貫通する球が落下しない程度のスリット状の穴１６ａをもって構成されている。【選択図】    図２
2004216127.tif 000002
【特許請求の範囲】
【請求項１】
遊技球を貯留し、かつ打球発射装置に供給する受け皿表面部を備えた遊技球の受け皿を備えている弾球遊技機であって、
遊技球の受け皿には、液状異物を受け皿の下方に排出する液状異物第一排出機構が形成されていることを特徴とする弾球遊技機。
【請求項２】
液状異物第一排出機構が、開閉可能に備えられている球抜取部に形成されていることを特徴とする請求項１に記載の弾球遊技機。
【請求項３】
少なくとも遊技球を貯留し、かつ打球発射装置に供給する受け皿表面部を備えた上受け皿と、遊技球を貯留する下受け皿の双方を備えている弾球遊技機であって、
上受け皿には、液状異物を上受け皿の下方に排出する液状異物第一排出機構が形成されていることを特徴とする弾球遊技機。
【請求項４】
内部空洞を有している上受け皿であって、
液状異物第一排出機構は、上受け皿の内部空洞と連通して、該上受け皿の下面に形成されている下面貫通穴であることを特徴とする請求項３に記載の弾球遊技機。
【請求項５】
内部空洞が縦方向に複数並列されている上受け皿であって、
液状異物第一排出機構は、これら内部空洞に設けられている各内部空洞間を連通する空洞貫通穴と、
上受け皿の下面に形成されている下面貫通穴とで形成されていることを特徴とする請求項３に記載の弾球遊技機。
【請求項６】
液状異物第一排出機構は、上受け皿の内部空洞と連通する表面排出穴を受け皿表面部に備え、
該表面排出穴は、受け皿表面部に供給される遊技球が、上受け皿内部空洞に落下しない形状に形成されていることを特徴とする請求項３乃至５のいずれかに記載の弾球遊技機。
【請求項７】
下受け皿には、上受け皿の液状異物第一排出機構から排出されて落下した液状異物を下受け皿下方に排出する液状異物第二排出機構が設けられ、
該液状異物第二排出機構は、下受け皿に供給される遊技球が落下しない形状に形成されていることを特徴とする請求項３乃至６のいずれかに記載の弾球遊技機。
【請求項８】
液状異物第二排出機構は、下受け皿の最深部位に設けられていることを特徴とする請求項７に記載の弾球遊技機。
【請求項９】
液状異物第二排出機構は、球が落下しない穴形状に、下受け皿の表面から裏面にわたり貫通して形成されていることを特徴とする請求項７又は８のいずれかに記載の弾球遊技機。
【請求項１０】
少なくとも遊技球を貯留し、かつ打球発射装置に供給する受け皿表面部を備えた上受け皿と、該上受け皿を取り付けて遊技機枠に取り付けられるパネル部材と、遊技球を貯留する下受け皿を備えている弾球遊技機であって、
上受け皿には、液状異物を上受け皿の下方に排出する液状異物第一排出機構が形成され、
液状異物第一排出機構の下位には、該液状異物第一排出機構より排出された液状異物を下受け皿へと誘導する液状異物誘導部を備えたことを特徴とする弾球遊技機。
【請求項１１】
上受け皿は、遊技球を貯留すると共に、整列させる受け皿表面部を備えた受け皿本体と、該受け皿本体の前面を覆う前面カバー部材とから少なくとも構成され、前記受け皿本体と共に前面カバー部材をパネル部材に取り付けることにより内部空洞を形成し、
液状異物第一排出機構は、前記内部空洞内において、上受け皿の受け皿表面部から下受け皿へと遊技球を抜き取る球抜取樋に形成されている下面貫通穴で、
液状異物誘導部は、前記上受け皿の内部空洞内で、前記下面貫通穴の下位に設けたことを特徴とする請求項１０に記載の弾球遊技機。
【請求項１２】
液状異物誘導部は、上受け皿の内部空洞を形成する受け皿本体と、前面カバー部材と、パネル部材の少なくともいずれか一つに形成されていることを特徴とする請求項１１に記載の弾球遊技機。
【請求項１３】
液状異物誘導部は、液状異物第一排出機構である下面貫通穴から、下受け皿上方に位置する前面カバー部材の下面に形成されている導出穴へと導き案内する該導出穴方向に下り傾斜状に設けられていることを特徴とする請求項１２に記載の弾球遊技機。
【請求項１４】
液状異物誘導部は、上受け皿の内部空間内にリブ形状に突出する誘導樋であることを特徴とする請求項１３に記載の弾球遊技機。
【請求項１５】
リブ形状に突出する誘導樋が、パネル部材に一体成形されることを特徴とする請求項１４に記載の弾球遊技機。
【請求項１６】
パネル部材の前面に上受け皿と共に下受け皿が取り付けられ、
前記パネル部材の裏面には、球抜取樋と連通して遊技球を下受け皿へ誘導する球抜取通路が備えられていることを特徴とする請求項１０乃至１５のいずれかに記載の弾球遊技機。
【請求項１７】
下受け皿には、上受け皿の液状異物第一排出機構から液状異物誘導部を介して排出された液状異物を下受け皿下方に排出する液状異物第二排出機構が設けられ、
該液状異物第二排出機構は、下受け皿に供給される遊技球が落下しない形状に形成されていることを特徴とする請求項１０乃至１６のいずれかに記載の弾球遊技機。
【請求項１８】
液状異物第二排出機構は、下受け皿の最深部位に設けられていることを特徴とする請求項１７に記載の弾球遊技機。
【請求項１９】
液状異物第二排出機構は、球が落下しない穴形状に、下受け皿の表面から裏面にわたり貫通して形成されていることを特徴とする請求項１７又は１８のいずれかに記載の弾球遊技機。
【発明の詳細な説明】
【技術分野】
【０００１】
本発明は弾球遊技機、特に遊技球を貯留し、かつ該遊技球を打球発射装置へと供給する受け皿を備えているパチンコ機などの遊技機に関する。なお、本明細書において、液状異物とは、例えばジュース，酒類などの飲み物やライター用オイルなどの液状体すべてを総称するものとする。
【背景技術】
【０００２】
パチンコ機などの遊技機は、前面板の上下中央位置に、遊技球を貯留し、かつ打球発射装置に供給する上受け皿と、遊技球を貯留する下受け皿が上下方向に並んで備えられている（例えば、特許文献１参照）。この上受け皿や下受け皿は、一般に樹脂製のものが多い。
【特許文献１】特開２００２−３０１２４６
【発明の開示】
【発明が解決しようとする課題】
【０００３】
この上受け皿は、遊技球を貯める打球貯留部と、遊技機内に配設している打球発射装置へと遊技球を整列させて導く打球整列樋からなる受け皿表面部を備えもつものである。
従って、この打球整列樋の下流側には、操作ハンドルと連絡される打球杆や打球発射モータあるいは打球発射ソレノイドなどからなる打球発射装置等の機械部品や電気部品等が配設されている。
【０００４】
昨今、このような遊技機で遊技する者の中には、店側に対する嫌がらせや思い通りに遊べなかった腹癒せなどで遊技機に悪戯をしていく者が見受けられる。すなわち、例えばジュース，酒類などの飲み物やライター用オイルなどの液状異物を遊技機の上受け皿や下受け皿に故意に流して帰るという悪質な悪戯が発生している。
【０００５】
このような遊技機において、例えば上受け皿に液状異物が流されると、その液状異物は、打球整列樋を介して上述の打球発射装置等の機械部品側へと流れてしまい、機械部品や電気部品等に悪影響を及ぼすことが考えられる。
また、上受け皿は前面板とは別体に形成され、前面板にネジ止め等されて一体固定されているため、受け皿表面部の当接側端面と前面板表面との間には微小隙間が存していることがある。
従って、上受け皿に液状異物が流されると、その液状異物は上記隙間から、上受け皿の空洞内部に流れ込み、該空洞内部に溜まってしまう虞がある。
【０００６】
このような悪戯がなされると、悪戯された遊技機台は、溜まっている液状異物を取り除き，清掃するまでの間使用できず、他の遊技者の遊技機台選択の余地を狭めるばかりか、液状異物の取り除き，清掃手間が掛かり、店側に無用の労力が強いられていた。
なお、下受け皿に液状異物が流された場合にも上記同様の問題がある。
さらに、ライター用オイルなどを上受け皿や下受け皿に流された場合にあっては、単に上受け皿や下受け皿を汚すという嫌がらせに留まらず、上受け皿に付着したオイルや下受け皿に溜まったオイルに放火して遊技機台を燃焼させてしまうという虞もあり、樹脂材にて成形されている遊技機にあっては大変危険である。
【０００７】
本発明は、上述した問題点に鑑みなされたもので、その目的とするころは、液状異物を遊技球の受け皿に流されたとしても、その液状異物を受け皿外部に排出し得る機構を備えた弾球遊技機を提供することである。
【課題を解決するための手段】
【０００８】
上記目的を達成するために本発明がなした技術的手段は、遊技球を貯留し、かつ該遊技球を打球発射装置へと供給する受け皿表面部７´を備えた遊技球の上受け皿７（受け皿７０）を備えている弾球遊技機１であって、遊技球の上受け皿７には、該上受け皿７の下方に液状異物を排出する液状異物第一排出機構１８（１８０）が形成されている弾球遊技機１とした点にある。
このような液状異物第一排出機構１８を遊技機１の上受け皿７に形成することで、上受け皿７に球以外、例えば飲物やライター用オイルなどの液状異物Ｌが故意に流し込まれたとしても、その液状異物Ｌは、液状異物第一排出機構１８を介して上受け皿７から排出される。
液状異物第一排出機構１８０は、例えば開閉可能に備えられている球抜取部１４０に形成することもできる。
【０００９】
また、少なくとも遊技球を貯留し、かつ打球発射装置に供給する受け皿表面部７´を備えた上受け皿７と、遊技球を貯留する下受け皿１３の双方を備えている弾球遊技機１としてもよく、上受け皿７には、液状異物Ｌを該上受け皿７の下方に排出する液状異物第一排出機構１８が形成されている弾球遊技機１とした点にある。
これによれば、上受け皿７にある液状異物Ｌを積極的に上受け皿７の下方に排出することができる。
例えば、この上受け皿７が内部空洞７ｄを有している場合、液状異物第一排出機構１８は、上受け皿７の内部空洞７ｄと連通して、該上受け皿７の下面７ｃに形成されている下面貫通穴１８ａとすることができる。
これによれば、上受け皿７に流し込まれた液状異物Ｌは、内部空洞７ｄを介して下面貫通穴１８ａから上受け皿７の下方に積極的に排出される。
【００１０】
また、内部空洞が縦方向に複数並列（第一空洞７ｅ乃至第四空洞７ｈ）されている場合、液状異物第一排出機構１８は、これら内部空洞７ｅ乃至７ｈに設けられている各内部空洞間を連通する空洞貫通穴１８ｃと、上受け皿７の下面７ｃに形成されている下面貫通穴１８ａとで形成されているものとすることができる。
これによれば全ての内部空洞が連通しているため、上受け皿７に流し込まれた液状異物Ｌは、各内部空洞（第一空洞７ｅ乃至第四空洞７ｈ）を介して下面貫通穴１８ａから上受け皿７の下方に排出される。
また、夫々の内部空洞に液状異物が溜まる虞も無い。
【００１１】
また、液状異物第一排出機構１８は、上受け皿７の内部空洞と連通する表面排出穴１８ｂを受け皿表面部７´に備え、該表面排出穴１８ｂは、受け皿表面部７´に供給される遊技球が、上受け皿７の内部空洞に落下しない形状に形成されている。
これによれば、上受け皿７に流し込まれた液状異物Ｌは、受け皿表面部７´に備えた表面排出穴１８ｂから内部空洞に流れ込み、下面貫通穴１８ａから上受け皿７の下方に排出される。この時、この表面排出穴１８ｂは、受け皿表面部７´に供給される遊技球が、上受け皿７の内部空洞に落下しない形状に形成されているため、液状異物Ｌのみ排出される。
すなわち、受け皿に流し込まれた液状異物は打球整列樋を伝って、その先の機械部品や電気部品側へと流れ込む虞があるが、表面排出穴を受け皿表面部に備えるものとしたため、液状異物Ｌを機械部品や電気部品の配設位置に流れ込む以前に積極的に排出することができ、液状異物により機械部品や電気部品への悪影響を及ぼさないようにすることができる。
【００１２】
また、下受け皿１３には、上受け皿７の液状異物第一排出機構１８から排出されて落下した液状異物Ｌを下受け皿１３の下方に排出する液状異物第二排出機構１６が設けられ、該液状異物第二排出機構１６は、下受け皿１３に供給される遊技球が落下しない形状に形成されている。
これによれば、上受け皿７に流し込まれた液状異物Ｌは、液状異物第一排出機構１８を介して下受け皿１３に流れ落ち、この下受け皿１３に流れ落ちた液状異物Ｌは、液状異物第二排出機構１６を介して下受け皿１３の下方に排出されるため、液状異物Ｌを積極的に遊技機外に排出することができる。
【００１３】
この液状異物第二排出機構１６は、例えば下受け皿１３の最深部位に設けられている。このように下受け皿１３の最深部位に液状異物第二排出機構１６を設けるものとすれば、下受け皿１３に流れ落ちてきた液状異物Ｌは、下受け皿１３の最深部位に流下し集まってくるため、液状異物Ｌは残ることなくこの液状異物第二排出機構１６から排出される。
また液状異物第二排出機構１６は、球が落下しない穴形状に、下受け皿１３の表面から裏面にわたり貫通して形成されている。
この液状異物第二排出機構１６は、例えば下受け皿１３の最深部位に備えられている球抜取部１４に設けられている。このように球抜取部１４に設けるものとすれば、液状異物第二排出機構１６が玉抜取部１４と同時成形し得るため成形工程・成形時間などの面からもコスト減となる。
【００１４】
この液状異物第二排出機構１６の一例を挙げると、例えば、下受け皿７の内面所望箇所に設けられている一個乃至複数個の貫通状のスリット穴１６ａ、又は一個乃至複数個の細穴１６ｃにより形成されるものとすることができる。
この場合において貫通状のスリット穴１６ａは、下受け皿１３の最深部位に備えられている球抜取部１４に設けられる。また、貫通状のスリット穴１６ａは、球抜取部１４の開閉扉１５に形成することができる。また、貫通状のスリット穴１６ａは、球抜取部１４の開閉扉１５と抜取口縁部１４ａとの間に設けられる隙間１６ｂにより形成することもできる。
さらに、液状異物第二排出機構１６が細穴１６ｃにより形成される場合、この細穴１６ｃは球抜取部１４の開閉扉１５に設けられる。
そして、液状異物第二排出機構１６は、下受け皿１３の内面所望箇所に設けられる一個又は複数個の貫通状のスリット穴１６ａと一個又は複数個の細穴１６ｃの任意な組み合わせにより形成することも可能である。
【００１５】
さらに、少なくとも遊技球を貯留し、かつ打球発射装置に供給する受け皿表面部７´を備えた上受け皿７と、該上受け皿７を取り付けて遊技機枠３に取り付けられるパネル部材６と、遊技球を貯留する下受け皿１３を備えている弾球遊技機１であって、上受け皿７には、液状異物Ｌを上受け皿７の下方に排出する液状異物第一排出機構１８が形成され、液状異物第一排出機構１８の下位には、該液状異物第一排出機構１８より排出された液状異物Ｌを下受け皿１３へと誘導する液状異物誘導部２０を備えた弾球遊技機とするとよい。
これによれば、上受け皿７に流し込まれた液状異物Ｌは、液状異物第一排出機構１８を介して液状異物誘導部２０に流れ落ち、該液状異物誘導部２０に誘導されて下受け皿１３へと確実に排出することが可能となる。
【００１６】
前記上受け皿７は、遊技球を貯留すると共に、整列させる受け皿表面部７´を備えた受け皿本体７００と、該受け皿本体７００の前面を覆う前面カバー部材２３とから少なくとも構成され、前記受け皿本体７００と共に前面カバー部材２３をパネル部材６に取り付けることにより内部空洞７ｄを形成し、液状異物第一排出機構１８は、前記内部空洞７ｄ内において、上受け皿７の受け皿表面部７´から下受け皿１３へと遊技球を抜き取る球抜取樋２５に形成されている下面貫通穴１８で、液状異物誘導部２０は、前記上受け皿７の内部空洞７ｄ内で、前記下面貫通穴１８の下位に設けた。
これによれば、遊技機１内部に液状異物Ｌが侵入する虞がなくなると共に、内部空洞７ｄ内の液状異物Ｌを確実に下受け皿１３へ誘導排出することができる。
【００１７】
液状異物誘導部２０は、上受け皿７の内部空洞７ｄを形成する受け皿本体７００と、前面カバー部材２３と、パネル部材６の少なくともいずれか一つに形成されている。
【００１８】
前記液状異物誘導部２０は、液状異物第一排出機構である下面貫通穴１８から、下受け皿１３上方に位置する前面カバー部材２３の下面に形成されている導出穴２７へと導き案内する該導出穴方向に下り傾斜状に設けられている。これによれば、液状異物Ｌは、自重で液状異物誘導部２０上を流れ落ちていき、下受け皿１３方向へと確実に誘導される。
【００１９】
前記液状異物誘導部２０は、例えば、上受け皿７の内部空洞７ｄ内にリブ形状に突出する誘導樋である。
これによれば、リブ形状の液状異物誘導部２０によって液状異物Ｌを一旦堰き止めることにより流下速度を減速した上で下受け皿１３へ誘導できるため、液状異物Ｌをより確実に下受け皿１３へ誘導できる。
【００２０】
前記リブ形状に突出する誘導樋２０が、パネル部材６に一体成形されるものとすることもできる。
これによれば、液状異物誘導部を別途設けることがないため、製品コストが低廉となる。
【００２１】
パネル部材６の前面に上受け皿７と共に下受け皿１３が取り付けられ、前記パネル部材６の裏面には、前記球抜取樋２５と連通して遊技球を下受け皿１３へ誘導する球抜取通路２６が備えられているものとしてもよい。
上受け皿７に流し込まれた液状異物Ｌは、通常、液状異物第一排出機構１８・液状異物誘導部２０・下受け皿１３へと誘導されて流れ落ちるが、大量の液状異物Ｌを流し込まれた場合には、液状異物第一排出機構１８のみではすべての液状異物Ｌを液状異物誘導部２０へと誘導することは不可能である。そこで、本発明によれば、液状異物第一排出機構１８で誘導しきれなかった液状異物Ｌは、球抜取樋２５と連通する球抜取通路２６を介して下受け皿１３方向へと誘導して流し落とすことが可能である。従って、遊技機１内部に液状異物Ｌが侵入する虞がない。また、この球抜取通路２６は、パネル部材６に備えられているため、メンテナンスも容易である。
【００２２】
下受け皿１３には、上受け皿７の液状異物第一排出機構１８から液状異物誘導部２０を介して排出された液状異物Ｌを下受け皿１３下方に排出する液状異物第二排出機構１６が設けられ、該液状異物第二排出機構１６は、下受け皿１３に供給される遊技球が落下しない形状に形成されている。
この液状異物第二排出機構１６は、下受け皿１３の最深部位に設けられているものとするとよい。
また、液状異物第二排出機構１６は、球が落下しない穴形状に、下受け皿１３の表面から裏面にわたり貫通して形成されているものとするとよい。
これによれば、上受け皿７に流し込まれた液状異物Ｌは、液状異物第一排出機構１８を介して下受け皿１３に流れ落ち、この下受け皿１３に流れ落ちた液状異物Ｌは、液状異物第二排出機構１６を介して下受け皿１３の下方に排出されるため、液状異物Ｌを積極的に遊技機外に排出することができる。
また、上述のように、下受け皿１３の最深部位に液状異物第二排出機構１６を設けるものとすれば、下受け皿１３に流れ落ちてきた液状異物Ｌは、下受け皿１３の最深部位に流下し集まってくるため、液状異物Ｌは残ることなくこの液状異物第二排出機構１６から排出される。
【発明の効果】
【００２３】
本発明によれば、受け皿への液状異物流出による弊害を最小に抑えることができると共に、例えばライター用オイルなどの可燃性の液状異物を受け皿に流されたとしても、受け皿には溜まらない為、火災などの危険も未然に防げ、安全性の面で大変向上し、被害を最小限に食い止めることができる。
【発明を実施するための最良の形態】
【００２４】
以下、本発明遊技機を実施するための最良の形態について添付図面を参照して説明する。
【００２５】
本発明の遊技機は、遊技球を貯留し、かつ打球発射装置に供給する受け皿表面部を備えた遊技球の受け皿を備えた遊技機、例えば、遊技球を貯留し、かつ該遊技球を打球発射装置へと供給する遊技球の受け皿を備えたパチンコ機（弾球遊技機）を対象とする。
以下の説明では、その一例として、図１、図１３又は図１４に示す形態のパチンコ機に適用した場合について説明する。
図１乃至図４は実施例１、図５は実施例２、図６は実施例３、図７は実施例４、図８は実施例５、図９は実施例６、図１０は実施例７、図１１及び図１２は実施例８、図１３は実施例９、図１４乃至図２０は実施例１０、図２１は実施例１１、図２２は実施例１２、図２３は実施例１３、図２４は実施例１４を夫々示す。なお、これら実施例は本発明の最良の形態を説明するために例示したものであって、なんらこれらに限定して解釈されるものではなく、本発明の範囲内で設計変更可能である。
【実施例１】
【００２６】
図１乃至図４は、本発明の実施例１を示す。
図１は、パチンコ機全体を示す概略斜視図で、パチンコ機１は、前面枠２、外枠３、ガラス面４を有し、ガラス面４の背面側に遊技盤５が配設されている。また、前面枠２の下方には、前面板６が開閉可能に取り付けられている。
そして、前面板６の上部中央位置には、上受け皿（打球供給皿ともいう）７が取り付けられ、この上受け皿７は、打球貯留部７ａと、この打球貯留部７ａに供給された打球（パチンコ球）を一列に整列させて供給する打球整列樋７ｂからなる受け皿表面部７´を備えており、この受け皿表面部７´は、図示しない打球杆や打球発射モータあるいは打球発射ソレノイドなどからなる打球発射装置方向に向けて下り傾斜状に形成している。
また、上受け皿７の打球貯留部７ａと対応する前面板６には、遊技球払出口８が形成され、この遊技球払出口８と余剰遊技球払出口１２とを連通する遊技球連絡流路（図示せず）が後方に形成されている。
また、上受け皿７には、球貸操作ボタン９ａおよび球貸情報表示器９ｂが設けられている。
前面板６の下部中央位置には、下受け皿（余剰球受け皿ともいう）１３が設けられ、遊技球連絡口の前方の遊技球払出口８側が遊技球で満杯になった場合に、余剰遊技球払出口１２より余剰遊技球を下受け皿１３に導くようになされている。前面枠２の下部右側には操作ハンドル１０が設けられ、この操作ハンドル１０の回動操作により図示しない打球杆が反復駆動されるように構成されている。なお、前面枠２の上部には、ランプ装置１１ａ，１１ｂが備えられている。このランプ装置１１ａ，１１ｂは、コントロール基板によってその動作が駆動制御される。
また、本実施例では、遊技盤５に備えられる、例えば所望な画像や図柄を表示する表示装置や、入賞球装置、打球誘導レールなどの遊技に供される装置については省略している。
なお、この図示したパチンコ機１の形態は、本発明が適用されるパチンコ機の一形態に過ぎず特に限定して解釈されるものではなく、他の形態を有するパチンコ機全般が対象とされる。
本実施例では、このようなパチンコ機などの遊技機１を構成している上受け皿７と下受け皿１３にそれぞれ特徴的な構成を有しており、次にこの上受け皿７と下受け皿１３を中心に説明をする。
【００２７】
上受け皿７は、任意な外観形状を有すると共に、上述した通り、打球貯留部７ａと、この打球貯留部７ａに供給された遊技球（パチンコ球）を一列に整列させて供給する打球整列樋７ｂからなる受け皿表面部７´を備え、受け皿表面部７´は、所望形状（深さ・幅・奥行き）に形成されており、この受け皿表面部７´に流された液状異物Ｌを、上受け皿７の下方へと排出することのできる液状異物第一排出機構１８を備えている。また、本実施例の上受け皿７は、前面板６と当接する側を開口した内部空洞７ｄに形成されている。
【００２８】
上受け皿７は、前面板６とは別体に形成され、前面板６にネジ止め等されて一体固定されているため、受け皿表面部７´の当接側端面と前面板表面との間には微小隙間（図示省略）が存している。
そして本実施例では、上受け皿７の外壁下面７ｃに液状異物第一排出機構１８を設けている。
上受け皿７は、このように外壁下面７ｃに液状異物第一排出機構１８を形成した点以外は、一般的な形態が適用可能であり、その外観形状・内部空洞形状なども特に限定されず、適宜本発明の範囲内で他の形態に設計変更可能である。
【００２９】
この液状異物第一排出機構１８の具体的な一例を挙げて説明すると、例えば本実施例では図２及び図３に示すように、液状異物第一排出機構１８の一実施例として、上受け皿７の下面所望箇所に、上受け皿７の内部空洞７ｄと連通する下面貫通穴１８ａを二個備えた一形態を示す。
【００３０】
本実施例では、その下面貫通穴１８ａの配設位置を、図２で示すように、夫々後述する下受け皿１３の余剰遊技球貯留部１３ｂの範囲内に位置するように形成されている。なお、穴形状および穴数は特に限定されず、上受け皿７の強度に影響のない穴形状・大きさが本発明の範囲内で適宜選択される。
すなわち本実施例では、この下面貫通穴１８ａから落下排出される液状異物Ｌを、下受け皿１３の余剰遊技球貯留部１３ｂで受けると共に、その余剰遊技球貯留部１３ｂに形成されている液状異物第二排出機構１６を介して下受け皿１３の下方に排出するものとしたため、下受け皿１３の余剰遊技球貯留部１３ｂの範囲内に位置させている。
従って、上受け皿７の受け皿表面部７´に液状異物が流された場合、その液状異物は、上受け皿７と前面板６との間に存している微小隙間から、上受け皿７の内部空洞７ｄに流れ込み、そして下面貫通穴１８ａから外方に排出される。そしてこのように排出された液状異物はそのまま下面貫通穴１８ａの直下に位置する下受け皿１３の余剰遊技球貯留部１３ｂに落下する。
【００３１】
このように上受け皿７の内部空洞７ｄに流れ込んだ液状異物が、下面貫通穴１８ａへと自然に流れ落ちるようにするのが好ましいため、夫々の下面貫通穴１８ａ方向へと連絡する上受け皿内壁面は、特に図示しないが下り傾斜状のテーパ面とする。
なお、上受け皿７の下面全域又は一部を所望穴径のメッシュ状に構成することで液状異物第一排出機構１８を構成するものとしてもよく、本発明の範囲内で適宜設計変更可能である。
【００３２】
次に、液状異物第二排出機構１６の具体的な実施例を、下受け皿１３の説明と併せて詳述する。
下受け皿１３は、任意な外観形状を有すると共に、所望形状（深さ・幅・奥行き）の余剰遊技球貯留部１３ａを有し、この余剰遊技球貯留部１３ａに液状異物第二排出機構１６を設けている。下受け皿１３は、このように余剰遊技球貯留部１３ａに液状異物第二排出機構を１６形成した点以外は、一般的な形態が適用可能であり、適宜本発明の範囲内で他の形態に設計変更可能である。
【００３３】
この液状異物第二排出機構１６の具体的な一例を挙げて説明すると、例えば図１及び図４に示すように、下受け皿１３の余剰遊技球貯留部１３ａにおける最深部位に備えられている球抜取部１４の開閉扉１５に、その表面から裏面にわたって貫通する所望スリット状の穴１６ａによって液状異物第二排出機構１６が形成されている。
このスリット状の穴１６ａは、余剰遊技球貯留部１３ａに溜まった球が、下受け皿１３の下方に落下しない程度の大きさ、すなわち球径よりも幅狭に形成される。また、本実施例では開閉扉１５が、操作摘まみ１７を左右方向にスライド操作することにより、左右方向にスライド開閉作動する構成としたが、前後方向にスライド作動する構成などの他の周知構成が適宜選択適用できる。
【００３４】
なお、本実施例では、スリット状の穴１６ａが扉開閉方向と直交する方向に形成した単なる長尺状の一本のスリット状としているが、他の任意な形状、例えば、スリットを断続的に形成、あるいは同一長さ若しくは異なる長さのものを複数本形成してもよく、またこのスリット状の穴で所望なデザインなどを表現するものとすることもできる。また、扉開閉方向と同一方向に形成することも可能である。
すなわち、余剰遊技球貯留部１３ａは、通常、最深部位に備えられている球抜取部１４の開閉扉１５方向に向けて下り傾斜状のテーパ面１３ｂをもって構成されている。従って、この余剰遊技球貯留部１３ａに流された液状異物は、このテーパ面１３ｂに沿って開閉扉１５へと流れ、該開閉扉１５のスリット状の穴１６ａに集められる。そして、この穴１６ａを介して下受け皿１３下方へと流し出される。
【実施例２】
【００３５】
図５は、本発明の実施例２で、液状異物第二排出機構１６の他の実施例を示す。
本実施例では、球抜取部１４の開閉扉１５の端面１５ａと抜取口縁部１４ａとの間に設けられる隙間１６ｂにより液状異物第二排出機構１６を形成した一例を示している。なお、その他の構成および作用効果は上述した第一実施例と同様であるためその説明は省略する。
すなわち本実施例によれば、開閉扉１５を閉じた状態の時、開閉扉１５の端面１５ａが、抜取口縁部１４ａとの間で所望幅（球が落下しない程度の幅）の隙間１６ｂを形成するように、開閉扉１５を開閉調整するよう構成する。従って、本実施例によれば、常時、開閉扉１５の端面１５ａと抜取口縁部１４ａとの間には所望幅の隙間１６ｂが形成されているため、下受け皿１３に流された液状異物は、この隙間１６ｂを介して下受け皿１３下方から流れ落ちる。
【００３６】
上記隙間１６ｂは、開閉扉１３を閉じた状態の時に、球が落下しない程度の幅(扉開閉方向幅および扉開閉方向と直交する幅)に形成されているものであれば特に図示形態に限定して解釈されるものではなく、所望な隙間形状が本発明の範囲内で選択可能である。また、実施例１にて液状異物第二排出機構１６を形成していたスリット状の穴１６ａを、本実施例の開閉扉１３に併せて設けることも可能である。
【実施例３】
【００３７】
図６は、本発明の実施例３で、液状異物第二排出機構１６の他の実施例を示す。
本実施例では、余剰遊技球貯留部１３ａの開閉扉１５の所望箇所に、一個乃至複数個の細穴１６ｃにより液状異物第二排出機構１６を形成した一例を示している。なお、その他の構成および作用効果は上述した実施例１と同様であるためその説明は省略する。
図示形態では、開閉扉１５の全域に、表面から裏面にわたって貫通する所望開口径の細穴１６ｃを複数個形成することで液状異物第二排出機構１６を構成している。
勿論この細穴１６ｃは、球が落下しない程度の穴径とする。なお、全体の穴数は、下受け皿１３の必要強度を低下しない程度を十分考慮して決定する。
従って、本実施例によれば、下受け皿１３に流された液状異物は、開閉扉１５の全域に形成されているこれら複数個の細穴１６ｃのうちのいずれかの細穴又はすべての細穴を介して下受け皿１３下方から流れ落ちる。
細穴１６ｃは、一個乃至複数個の範囲から適宜選択可能で、また、本実施例では同一穴径の細穴群によって液状異物第二排出機構１６を形成するが、異なる穴径の細穴群によって液状異物第二排出機構１６が形成されるものであってもよい。なお、一個の細穴１６ｃからなる液状異物第二排出機構１６とする実施例の場合、その細穴１６ｃは、開閉扉１５の最深部位に形成するのが好ましい。
【実施例４】
【００３８】
図７は、本発明の実施例４で、液状異物第二排出機構１６の他の実施例を示す。
本実施例では、余剰遊技球貯留部１３ａの全域に、複数個の細穴１６ｃ群からなる液状異物第二排出機構１６を形成した一例を示している。なお、その他の構成および作用効果は上述した実施例１および実施例３と同様であるためその説明は省略する。
図示形態では、開閉扉１５の全域と、該開閉扉１５以外の余剰遊技球貯留部１３ａの全域に、表面から裏面にわたって貫通する所望開口径の細穴１６ｃを複数個形成することで液状異物第二排出機構１６を構成している。
従って、本実施例によれば、下受け皿１３に流された液状異物は、余剰遊技球貯留部１３ａの全域に形成されているこれら複数個の細穴１６ｃのうちのいずれかの細穴又はすべての細穴を介して下受け皿１３下方から流れ落ちる。すなわち、本実施例によれば、余剰遊技球貯留部１３ａの全域に細穴１６ｃ群からなる液状異物第二排出機構１６を形成しているため、余剰遊技球貯留部１３ａに流された液状異物を素早く下受け皿１３下方に落下させることができる。なお、開閉扉１５に形成される細穴１６ｃは、一個であってもよく、この場合好ましくは最深部位に形成するのがよい。
【実施例５】
【００３９】
図８は、本発明の実施例５で、液状異物第二排出機構１６の他の実施例を示す。
本実施例では、上述した実施例４にて開閉扉１５以外の余剰遊技球貯留部１３ａに形成した細穴１６ｃに代えて、表面から裏面にわたって貫通する複数の所望スリット状の穴１６ａを開閉扉１５以外の余剰遊技球貯留部１３ａに形成することによって液状異物第二排出機構１６が形成されている一例を示している。なお、その他の構成および作用効果は上述した実施例１および実施例４と同様であるためその説明は省略する。
また、本実施例では、開閉扉１５に複数個の細穴１６ｃを形成しているが、一個の細穴のみであってもよく、また本実施例では、開閉扉１５以外の余剰遊技球貯留部１３ａに形成されている複数個のスリット状の穴１６ａが、異なる形状で、かつ規則正しく整列されている複数個の穴群によって構成されているが、これらの穴１６ａは同一形状であってもよく、また不規則に設けられているものであってもよく任意である。
従って、本実施例によれば、下受け皿１３に流された液状異物は、余剰遊技球貯留部１３ａに形成されているこれら複数個の細穴１６ｃと、複数個のスリット状の穴１６ａのいずれか又はすべてを介して下受け皿１３下方から流れ落ちる。すなわち、本実施例によれば、余剰遊技球貯留部１３ａの全域に複数個のスリット状の穴１６ａと複数個の細穴１６ｃからなる液状異物第二排出機構１６を形成しているため、余剰遊技球貯留部１３ａに流された液状異物を素早く下受け皿１３下方に落下させることができる。
【実施例６】
【００４０】
図９は、本発明の実施例６で、液状異物第二排出機構１６の他の実施例を示す。
本実施例では、上述した実施例４にて開閉扉１５に形成した細穴１６ｃに代えて、表面から裏面にわたって貫通する所望スリット状の穴１６ａを開閉扉１５に形成することによって液状異物第二排出機構１６が形成されている一例を示している。なお、その他の構成および作用効果は上述した実施例１および実施例４と同様であるためその説明は省略する。
また、本実施例では、開閉扉１５に一個のスリット状の穴１６ａを形成しているが、複数個のスリット状の穴であってもよく、また本実施例では、開閉扉１５以外の余剰遊技球貯留部１３ａに形成されている複数個の細穴１６ｃが、同一穴径の穴群によって構成されているが、これら穴１６ｃは異なる穴径であってもよく任意である。
従って、本実施例によれば、下受け皿１３に流された液状異物は、余剰遊技球貯留部１３ａに形成されているこれら複数個の細穴１６ｃと、スリット状の穴１６ａのいずれか又はすべてを介して下受け皿１３下方から流れ落ちる。すなわち、本実施例によれば、余剰遊技球貯留部１３ａの全域に複数個の細穴１６ｃと一個のスリット状の穴１６ａからなる液状異物第二排出機構１６を形成しているため、余剰遊技球貯留部１３ａに流された液状異物を素早く下受け皿１３下方に落下させることができる。
【実施例７】
【００４１】
図１０は、本発明の実施例７で、液状異物第二排出機構１６の他の実施例を示す。
本実施例では、上述した実施例５にて開閉扉１５に形成した複数の細穴１６ｃに代えて、スリット状の穴１６ａを開閉扉１５に形成することによって液状異物第二排出機構１６が形成されている一例を示している。なお、その他の構成および作用効果は上述した実施例１及び実施例５と同様であるためその説明は省略する。
また、本実施例では、開閉扉１５に一個のスリット状の穴１６ａを形成しているが、複数個のスリット状の穴であってもよく、また本実施例では、開閉扉１５以外の余剰遊技球貯留部１３ａに形成されている複数個のスリット状の穴１６ａが、異なる形状で、かつ規則正しく整列されている複数個の穴群によって構成されているが、これら穴は同一形状であってもよく、また不規則に設けられているものであってもよく任意である。
従って、本実施例によれば、下受け皿１３に流された液状異物は、余剰遊技球貯留部１３ａに形成されているこれら複数個のスリット状の穴１６ａのいずれか又はすべてを介して下受け皿１３下方から流れ落ちる。すなわち、本実施例によれば、余剰遊技球貯留部１３ａの全域に複数個のスリット状の穴１６ａからなる液状異物第二排出機構１６を形成しているため、余剰遊技球貯留部１３ａに流された液状異物を素早く下受け皿１３下方に落下させることができる。
【実施例８】
【００４２】
図１１及び図１２は、本発明の実施例８で、上受け皿７に形成される液状異物第一排出機構１８の他の実施例を示す。
本実施例における上受け皿７は、その内部に、縦方向に並列する複数の空洞を備えている。この空洞を、本実施例では上側から第一空洞７ｅ、第二空洞７ｆ、第三空洞７ｇ、第四空洞７ｈとする。これら第一空洞７ｅ乃至第四空洞７ｈは、特に図示形態に限定されるものではなく、本発明の範囲内で設計変更可能である。
そして、本実施例では、第一空洞７ｅと連通して受け皿表面部７´に形成した表面排出穴１８ｂと、夫々の空洞７ｅ乃至７ｈの各空洞間を連通する空洞貫通穴１８ｃ…と、第四空洞７ｈの下面に形成されている下面貫通穴１８ａにより液状異物第一排出機構１８が形成されている。下面貫通穴１８ａは、実施例１にて説明した下面貫通穴と同一であるためその説明は省略する。
なお、その他の構成及び作用効果は、上述した実施例１乃至実施例７が適宜採用されるためそれらの説明は省略する。
【００４３】
表面排出穴１８ｂは、本実施例では、打球整列樋７ｂの所望位置にて表面から裏面にわたって貫通して形成されている。穴形状・大きさは、当該樋７ｂを整列して通過する打球が第一空洞７ｅ内に落下しない程度の穴径であれば特にその形状などの諸条件は問わない。
また、この表面排出穴１８ｂは、受け皿表面部７´に流された液状異物を、打球整列樋７ｂの下流側に位置している打球発射装置などの機械部品配設位置手前で全て排出し、該機械部品や電気部品側に悪影響を及ぼさないように、積極的に下面貫通穴１８ａへと液状異物を排出するため形成されるものである。従って、対象遊技機１の構造に応じて、適宜その配設位置・配設形状・配設数量などを最適仕様に設計変更可能である。すなわち、例えば打球整列樋７ｂの打球整列方向にわたり所望長さの長尺貫通スリット状に形成したり、打球整列樋７ｂを総貫通メッシュ状に形成したり、又は受け皿表面部７´全域を総メッシュ状に構成したりすることも考えられる。
【００４４】
空洞貫通穴１８ｃは、本実施例では所望形状（所望形状・所望穴径など）で、上述した表面排出穴１８ｂと縦方向同一位置に、第一空洞７ｅ乃至第三空洞７ｇ下面の表面から裏面にわたって貫通して形成されている。穴形状・大きさなどの諸条件は問わないが、少なくとも表面排出穴１８ｂと同一位置あるいは下流側に形成され、また単一の穴をもって形成する場合にはできる限り表面排出穴１８ｂと同径あるいは大径とするのが好ましい。各空洞貫通穴１８ｃは、表面排出穴１８ｂよりも大径状に形成され、表面排出穴１８ｂより落下してきた液状異物を、確実に各空洞貫通穴１８ｃを通過して下面貫通穴１８ａから排出しえる構成とした方が好ましい。
【００４５】
各空洞貫通穴１８ｃは、表面排出穴１８ｂと同一位置に形成すると共に、表面排出穴１８ｂ位置よりもさらに下流側に一個乃至複数個追加形成することも考えられ、確実に下面貫通穴１８ａへと液状異物を排出し得る任意な構成が採用される。
また、強度的な問題が解決されれば、第一空洞７ｅ乃至第三空洞７ｇ（若しくは第四空洞７ｈ）の下面は、総メッシュ状として多数の液状異物排出用の穴が形成されている構成が好ましい。
そして、本実施例では、図１２に示すように、表面排出穴１８ｂと各空洞貫通穴１８ｃ…の下端縁から漏斗状の排出ガイド部１９…を垂設している。このような排出ガイド部１９を備えることにより、表面排出穴１８ｂから落下する液状異物Ｌは、必ずこの排出ガイド部１９から下方に落下するため、打球整列樋７ｂの裏面側に回り込むと共に、該樋裏面に沿って下流側の打球発射装置などの機械部品や電気部品の配設位置方向へと流れ込む虞もなくなる。
なお、特に図示しないが、表面排出穴１８ｂ下端から下面貫通穴１８ａまでを連続した排出パイプで繋ぎ、確実に液状異物を排出するものとしてもよい。
【００４６】
また、この第一空洞７ｅ下面、第二空洞７ｆ下面、第三空洞７ｇ下面の夫々に形成されている空洞貫通穴１８ｃ…は、例えば実施例１のように受け皿表面部７´に表面排出穴１８ｂを備えていない実施の形態においても適用され、積極的に液状異物を排出するのが好ましい。また、受け皿表面部７´に表面排出穴１８ｂを備えていない実施の形態で、かつ本実施例のように複数の空洞７ｅ…を並設している場合には、隙間を介して上受け皿７内に流れ込んできた液状異物が夫々の空洞７ｅ…内に流れ込むことがあり、この場合に上記空洞貫通穴１８ｃ…を形成していないと夫々の空洞７ｅ…内に溜まってしまう虞がある。そこで、上述のように空洞貫通穴１８ｃを形成すれば、夫々の空洞７ｅ…に流れ込んだ液状異物は順次各空洞貫通穴１８ｃを介して下方へと流れ、最終的に下面貫通穴１８ａから外部へと排出することができる。
【実施例９】
【００４７】
図１３は、本発明の実施例９を示す。
本実施例のパチンコ機１は、前面枠２、外枠３、ガラス面４を有し、ガラス面４の背面側に遊技盤５が配設されている。また、前面枠２の下方には、前面板６が開閉可能に取り付けられている。
そして、前面板６には、遊技球の受け皿７０が取り付けられ、そして、この受け皿７０に液状異物第一排出機構を備えている。なお、その他の構成にあっては、上述した実施例１のパチンコ機１の説明を援用することとして省略し、ここでは特徴的部分である受け皿７０についての説明に留める。
【００４８】
受け皿７０は、前面板６から前方にＲ状に大きく膨出させると共に、その膨出部分の略中心位置から下方に向けて垂直状に延設した垂設部分とからなる正面視略Ｔ字状の外ケース７１を備えており、該外ケース７１の膨出部分の表面側には受け皿表面部７０´が凹設されている。
受け皿表面部７０´は、打球貯留部７０ａと、この打球貯留部７０ａに供給された遊技球（パチンコ球）を一列に整列させて打球発射装置に供給する打球整列樋７０ｂを備えてなり、この受け皿表面部７０´は、図示しない打球杆や打球発射モータあるいは打球発射ソレノイドなどからなる打球発射装置方向に向けて下り傾斜状に形成している。
そして、この所望箇所には、受け皿７０の下方に液状異物を排出する液状異物第一排出機構１８０が形成されている。
また、上受け皿７の打球貯留部７０ａと対応する前面板６には、遊技球払出口８０が形成されている。
【００４９】
液状異物第一排出機構１８０は、例えば受け皿表面部７０´に開閉可能に備えられている球抜取部１４０に形成されている。この球抜取部１４０は、外ケース７１内にて空洞状に形成されている球放出流路（図示省略）と連通しており、球放出流路の末端は外ケース７１の下端にて球放出口１９０として開口されている。すなわち、受け皿表面部７０´の遊技球は、この球抜取部１４０を介して球放出口１９０から放出されるもので、本実施例では、この球抜取部１４０→球放出流路→球放出口１９０との球放出ルートを介して受け皿表面部７０´に流し込まれた液状異物を、受け皿７０の下方（外方）へと排出するものとした。
【００５０】
本実施例では、液状異物第一排出機構１８０の実施例として、上述した各実施例の液状異物第二排出機構１６の構成と同様の構成を採用している。詳しく説明すると、球抜取部１４０の開閉扉１５０に、その表面から裏面にわたって貫通する所望スリット状の穴１８０ａによって液状異物第一排出機構１８０が形成されている。
【００５１】
このスリット状の穴１８０ａは、打球貯留部７０ａに溜まった球が、受け皿表面部７０´の内方に落下しない程度の大きさ、すなわち球径よりも幅狭に形成される。また、本実施例では開閉扉１５０が、操作摘まみ１７０を左右方向にスライド操作することにより、左右方向にスライド開閉作動する構成としたが、前後方向にスライド作動する構成などの他の周知構成が適宜選択適用できる。
なお、本実施例では、スリット状の穴１８０ａが扉開閉方向と直交する方向に形成した単なる長尺状の一本のスリット状としているが、他の任意な形状、例えば、スリットを断続的に形成、あるいは同一長さ若しくは異なる長さのものを複数本形成してもよく、またこのスリット状の穴で所望なデザインなどを表現するものとすることもできる。また、扉開閉方向と同一方向に形成することも可能である。
【００５２】
また、液状異物第一排出機構１８０は、液状異物第二排出機構１６の実施例として説明した図５乃至図１０に示す構成を受け皿表面部７０´に備えることもでき、本発明の範囲内で適宜その説明は援用する。すなわち、例えば球抜取部１４０の開閉扉１５０の端面１５０ａと抜取口縁部１４０ａとの間に隙間を設け、この隙間により液状異物第一排出機構１８０を形成するものとしたり（図５および実施例２の説明参照）、開閉扉１５０の全面に複数の貫通状の細穴を設け、この細穴により液状異物第一排出機構１８０を形成するものとしたり（図６および実施例３の説明参照）、開閉扉１５０と共に受け皿表面部７０´にも複数の貫通状の細穴を設け、この細穴群により液状異物第一排出機構１８０を形成するものとしたり（図７および実施例４の説明参照）、開閉扉１５０には複数の貫通状の細穴、受け皿表面部７０´にはスリット状の穴を設け、この穴群により液状異物第一排出機構１８０を形成するものとしたり（図８および実施例５の説明参照）、開閉扉１５０には本実施例と同様にスリット状の穴１８０ａを設け、受け皿表面部７０´には複数の細穴を設け、この穴群により液状異物第一排出機構１８０を形成するものとしたり（図９および実施例６の説明参照）、開閉扉１５０と受け皿表面部７０´の双方にスリット状の穴を設け、この穴群により液状異物第一排出機構１８０を形成する（図１０および実施例７の説明参照）ものとしたりすることができ、適宜本発明の範囲内で設計変更可能である。
なお、上受け皿７０の受け皿表面部７０´全域又は一部を所望穴径のメッシュ状に構成することで液状異物第一排出機構１８０を構成するものとしてもよく、本発明の範囲内で適宜設計変更可能である。
【００５３】
従って、受け皿７０の受け皿表面部７０´に液状異物が流された場合、その液状異物は、開閉扉１５０へと流れ、そして液状異物第一排出機構たるスリット状の穴１８０ａから、受け皿７０の外ケース７１内に備えられている球放出流路に流れ落ち、そして、受け皿７０の外ケース７１下端の球放出口１９０から落下して外方に排出される。
【実施例１０】
【００５４】
図１４乃至図２０は、本発明の実施例１０を示す。
本実施例は、上受け皿７に流し込まれた液状異物Ｌを、弾球遊技機１内に侵入させないように、上受け皿７に備えた液状異物第一排出機構１８から下受け皿１３へと誘導排出する液状異物誘導部を設けた点に特徴的な構成を有する弾球遊技機の一例で、図１４に示す弾球遊技機を一例として挙げて説明する。
なお、上述の通り特徴的な構成部分を中心に説明し、その他の構成部分については簡単に説明するに留めるものとする。すなわち、特徴的な構成部分以外にあっては特に限定解釈されないため、図示する弾球遊技機に限定されるものではなく、本発明の範囲内で他の弾球遊技機を採用することが可能である。
【００５５】
図１４は、本実施例の弾球遊技機（パチンコ機ともいう）１の全体を示す概略斜視図で、パチンコ機１は、ガラス面４を備えた前面枠２、パネル部材（前面板ともいう）６、外枠３を有し、ガラス面４の背面側に遊技盤５が配設され、パネル部材６の前面に上受け皿（打球供給皿ともいう）７と下受け皿（余剰球受け皿ともいう）１３を上下方向に並設させて配設し、前面枠２とパネル部材６は、夫々別体で外枠（遊技機枠ともいう）３に対して開閉可能に取り付けられている。
また、図中２１ｂは、球抜取部材２１をスライド操作することにより、球抜取穴２２を開閉調整して球抜取樋２５と連通させる操作摘みを示す。
また、本実施例では、上受け皿７と下受け皿１３を単一のパネル部材６に取り付けるようにしているが、上受け皿７と下受け皿１３を、夫々外枠３に対して開閉可能に取り付けた別パネル部材に取り付けるものであってもよい。
なお、その他の構成にあっては実施例１と同様で、同様箇所には同一符号を付して上述した実施例１のパチンコ機１の説明を援用する。
【００５６】
上受け皿７は、打球貯留部７ａ及びこの打球貯留部７ａに供給された遊技球（パチンコ球）を一列に整列させて供給する打球整列樋７ｂからなる受け皿表面部７´を備えた受け皿本体７００と、任意な外観形状を有し、パネル部材６と当接する側を開口し、受け皿本体７００の前面を覆う前面カバー部材２３とを少なくとも備えている。
受け皿表面部７´は、所望形状（深さ・幅・奥行き）に形成されており、適宜設計変更可能である。
また、本実施例の上受け皿７は、前記受け皿本体７００と共に前面カバー部材２３をパネル部材６にネジ止め等して一体的に取り付けることにより内部空洞７ｄを形成している。
そして、受け皿表面部７´に流された液状異物Ｌを、上受け皿７の下方へと排出することのできる液状異物第一排出機構１８が、前記内部空洞７ｄ内に備えられている。
【００５７】
そして、本実施例では、図１６に示すように、前記パネル部材６の裏面に、上受け皿７に貯留できなくなった遊技球を下受け皿１３に誘導する溢れ球通路２４と、上受け皿７に貯留された遊技球を、球抜取樋２５を介して下受け皿１３へと球抜きするための球抜取通路２６が一体的に備えられている。
これら溢れ球通路２４と球抜取通路２６は、夫々パネル部材６の裏面側にて筒状に設けられ、外部と遮蔽状に配設されている。
本実施例では、図１６に示すように、前記球抜取通路２６の下流側端部２６ａが溢れ球通路２４の中途部位で合流し、溢れ球通路２４を介して下受け皿１３へと遊技球を転動させる構成を採用している。なお、この構成に限定解釈されるものではなく、夫々の通路を別々に下受け皿１３へと連通させる構成などを採用することも可能で、本発明の範囲内で変更可能である。
なお、本実施例では、溢れ球通路２４と球抜取通路２６がパネル部材６の裏面側に一体的に設けるものとしているが、パネル部材６に取り付けずに遊技機側（例えば裏機構板）に設ける構成であってもよい。
【００５８】
球抜取樋２５は、打球整列樋７ｂの直下の内部空洞７ｄ内に配設され、打球整列樋７ｂの下流側に開口する球抜取穴２２方向に立ち上げられている立上り壁２５ａと、該立上り壁２５ａ末端から緩やかな湾曲をもって連続する下り傾斜状の球転動壁２５ｃとにより略Ｌ字状に構成されており、球抜取部材２１をスライド操作して球抜取穴２２を開口させることにより、上受け皿７に貯留されている遊技球を、下受け皿１３へと抜き取るための樋である。
この球抜取樋２５は、パネル部材６の前面から突出状に備えられ、立上り壁２５ａは、打球整列樋７ｂの下流側の球抜取穴２２位置で球抜取部材先端２１ａが当接し、球転動壁２５ｃは、その下流側に球抜取通路２６の開口２６ｂを臨ませている。
この球抜取樋２５は、パネル部材６と一体成形されていても、別体成形したものを取り付け固定するものであってもよく任意である。
球抜取樋２５は、図示形状に限定されず、立上り壁２５ａ・球転動壁２５ｃの傾斜状態は限定されず、抜取球のスムーズな転動に寄与し得るのが好ましい。
【００５９】
液状異物第一排出機構１８は、本実施例では、図１７乃至図１９に示すように、前記球抜取樋２５に形成した下面貫通穴をもって構成している。以下、この液状異物第一排出機構を下面貫通穴１８として説明することもある。
下面貫通穴１８は、球抜取樋２５の湾曲部分２５ｂに形成されている。この下面貫通穴１８は、遊技球の転動にできる限り支障を来たさない位置に、遊技球が落下しない穴形状に形成するのが好ましい。下面貫通穴１８の形状・配設箇所・配設数など任意である。
【００６０】
そして、液状異物第一排出機構たる下面貫通穴１８の下位には、該下面貫通穴１８より排出された液状異物Ｌを下受け皿１３へと誘導する液状異物誘導部２０を備えている。
液状異物誘導部２０は、前記上受け皿７の内部空洞７ｄ内で、前記下面貫通穴１８の下位に設けている。
【００６１】
前記液状異物誘導部２０は、液状異物第一排出機構である下面貫通穴１８から、下受け皿１３上方に位置する前面カバー部材２３の下面に任意穴径をもって形成されている導出穴２７へと導き案内するため、該導出穴方向に下り傾斜状に設けられている。
【００６２】
前記液状異物誘導部２０は、例えば、上受け皿７の内部空洞７ｄ内にリブ形状に突出する誘導樋である。
本実施例では、前記リブ形状に突出する誘導樋たる液状異物誘導部２０が、パネル部材６に一体成形されている。
液状異物誘導部２０は、本実施例ではパネル部材６に一体成形されているが、上受け皿７の内部空洞７ｄを形成する受け皿本体７００と、前面カバー部材２３と、パネル部材６の少なくともいずれか一つに形成されていればよい。これによれば、リブ形状の液状異物誘導部２０によって液状異物Ｌを一旦堰き止めることにより流下速度を減速した上で下受け皿１３へ誘導できるため、液状異物Ｌをより確実に下受け皿１３へ誘導できる。
【００６３】
ここで、液状異物誘導部２０の一例を図２０に基づいて説明する。
図２０（ａ）は、下面貫通穴１８から落下する液状異物Ｌを受ける上流側に備えた立上り部２０ａと、該立上り部２０ａから下り傾斜状に連設される平坦状の誘導路２０ｂと、該誘導路２０ｂの下流側端部に垂設されている排出部２０ｃで構成されている誘導樋である。
図２０（ｂ）は、前記図２０（ａ）の誘導樋２０の両側にガイド壁２０ｄを立ち上げ形成している誘導樋である。本実施例によれば、誘導路２０ｂを流れている液状異物Ｌが、誘導路側縁から内部空洞７ｄへずれ落ちてしまう虞もなくなる。
図２０（ｃ）は、図２０（ａ）の誘導樋２０における平坦状の誘導路を、湾曲凹状の誘導路２０ｂとした誘導樋である。本実施例にあっても誘導路２０ｂから内部空洞７ｄへのずれ落ち防止が図れる。
【００６４】
本実施例によれば、上受け皿７の打球貯留部７ａ・打球整列樋７ｂに液状異物Ｌが流し込まれた場合、液状異物Ｌは、打球整列樋７ｂを下流方向へと流れ、球抜取部材２１の先端２１ａと球抜取樋２５の立上り壁２５ａとの当接箇所の隙間から、該立上り壁２５ａに沿って液状異物Ｌが伝わり流れ落ちる。そして、立上り壁２５ａに伝わり流れ落ちた液状異物Ｌは、下面貫通穴１８に至り、該下面貫通穴１８から下位の誘導樋２０へと流れ落ちる。
次に、誘導樋２０に流れ落ちた液状異物Ｌは、誘導路２０ｂに沿って下流側の排出部２０ｃへと誘導される。
そして、排出部２０ｃへと誘導された液状異物Ｌは、その排出部２０ｃから前面カバー部材２３の下面に設けた導出穴２７内へと流れ落ちる。
このように導出穴２７内に流れ落ちた液状異物Ｌは、下受け皿１３内に排出される。
【００６５】
また、本実施例では、下受け皿１３に、上受け皿７の液状異物第一排出機構１８から液状異物誘導部２０を介して排出された液状異物Ｌを下受け皿１３の下方へと排出する液状異物第二排出機構１６が設けられ、該液状異物第二排出機構１６は、下受け皿１３に供給される遊技球が落下しない形状に形成されている。また、この液状異物第二排出機構１６は、下受け皿１３の最深部位に設けられている。
なお、下受け皿１３・液状異物第二排出機構１６の構成については、実施例１にて説明した内容と同様であるため、本実施例では実施例１の説明を援用しここでの説明は省略する。
また、実施例１の説明では、球抜取部１４の開閉扉１５に液状異物Ｌを排出する液状異物第二排出機構１６を別途設けるものとしているが、球抜取部１４を開放操作することにより液状異物Ｌを抜き取ることもできるため、この液状異物第二排出機構１６を設けないものとすることもでき本発明の範囲内である。
【００６６】
また、本実施例においても、受け皿表面部７´の当接側端面とパネル部材６の前面との間には微小隙間（図示省略）が存していることがある。従って、この微小隙間から液状異物Ｌが内部空洞７ｄ内に流れ落ちることも考えられる。そこで、実施例１にて説明したように、上受け皿７の下面所望箇所に、上受け皿７の内部空洞７ｄと連通する下面貫通穴１８ａを二個備えた構成を採用することで、このような内部空洞に流れ落ちた液状異物を下受け皿へと排出するものとすることも併設できる。
【実施例１１】
【００６７】
図２１は、本発明の実施例１１で、実施例１０にて説明した液状異物誘導部２０の他の実施の一例を示す。
本実施例では、球抜取樋２５に設けた液状異物第一排出機構である下面貫通穴１８と、前面カバー部材２３の下面に設けた導出穴２７にわたって連通状に掛け渡した管状（パイプ状）部材をもって液状異物誘導部２０とした実施の一例である。
この管状部材の形状（パイプ屈曲形状・パイプ径など）・材質（樹脂製・金属製など）などは特に限定されず本発明の範囲内で設計変更可能である。
【００６８】
本実施例によれば、下面貫通穴１８を介して液状異物誘導部２０に流れ落ちた液状異物Ｌは、この管状の液状異物誘導部２０によって導出穴２７へと誘導案内され、該導出穴２７から下受け皿１３へと流れ落ちる。本実施例構成であれば、下面貫通穴１８から液状異物誘導部２０に流れ落ちた液状異物Ｌは、管状の液状異物誘導部２０内から内部空洞７ｄ内に跳ね落ちたり、こぼれ落ちたりすることなく、確実に下受け皿１３方向へと誘導排出される。
その他の作用効果・構成については、前述した実施例１０及び実施例１乃至９と同様であるためその説明を省略する。
【実施例１２】
【００６９】
図２２は、本発明の実施例１２で、実施例１０にて説明した液状異物誘導部２０の他の実施の一例を示す。
本実施例では、球抜取樋２５の裏面に取り付けられ、下流側（排出口側）のみを開放している断面視Ｕ字状・Ｖ字状などの樋状部材をもって液状異物誘導部２０とした実施の一例である。
この樋状部材からなる液状異物誘導部２０は、球抜取樋２５に設けた下面貫通穴１８の直下に誘導路２０ｂを臨ませると共に、前面カバー部材２３の下面に設けた導出穴２７上に他端側（下流側）に開放して設けている排出口２０ｅを臨ませている。なお、本実施例では、前記排出口２０ｅを導出穴２７の上方に非接触状態で臨ませているが、排出口２０ｅ端部を導出穴２７上縁に当接（固着・非固着のいずれも含む。）させたり、導出穴２７内に排出口端部２０ｅを挿入させるなど任意である。
本実施例では、球抜取樋２５の裏面に一体的に取り付ける形態としているが、本実施例の液状異物誘導部２０は、パネル部材６に備え、球抜取樋２５の裏面に対して固着せずに突き当てているだけであっても構わない。
また、この樋状部材からなる液状異物誘導部２０の形状は図示形状に限定されるものではなく、全体形状や誘導路２０ｂの深さ、あるいは排出口２０ｅの傾斜状態など本発明の範囲内で設計変更可能である。
本実施例によれば、上述した実施例１１と同様に、確実に下受け皿１３方向へと液状異物Ｌを誘導排出することができる。
その他の作用効果・構成については、前述した実施例１０及び実施例１乃至９と同様であるためその説明を省略する。
【実施例１３】
【００７０】
図２３は、本発明の実施例１３で、実施例１０における球抜取樋の他の形態を示す。
本実施例では、下面貫通穴１８よりも下流側にて、該下面貫通穴１８よりもさらに小径な液状異物排出孔２０ｆを球抜取樋２５に一個乃至複数個設けた実施の一例である。
このように下面貫通穴１８よりも小径な排出孔２０ｆとしたのは、球抜取樋２５を通る遊技球の転動に支障きたさないため、及び排出孔２０ｆから遊技球が落下しないように配慮するためである。
本実施例によれば、下面貫通穴１８で排出しきれなかった液状異物Ｌを、球抜取樋２５を液状異物Ｌが流れている間に、できるだけ多く液状異物誘導部２０へと誘導排出させて、球抜取通路２６へと流さないようにすることができる。これにより、球抜取通路２６の清掃手間などが緩和される。
なお、前記排出孔２０ｆは、遊技球の転動支障や遊技球が落下しない、及び強度的な問題などの条件を具備すれば任意の孔径・孔数配設箇所が選択可能である。なお、前記条件が解決されれば、球抜取樋２５の所望領域を総メッシュ状として多数の排出孔が形成されている構成が好ましい。
また、本実施例の排出孔構造を上述した実施例１２において球抜取樋２５に採用しても本実施例と同様の作用効果を奏するため本発明の範囲内で適宜適用可能である。
【実施例１４】
【００７１】
図２４は、本発明の実施例１４で、実施例１０にて説明した液状異物誘導部２０の他の実施の一例を示す。
本実施例では、上述した各実施例のような内部空洞７ｄ内に突出する液状異物誘導部２０に代えて、液状異物誘導部２０をパネル部材６の前面に凹設した前面開放の溝形状構成とした実施の一例である。
本実施例の液状異物誘導部２０は、溝の一端側（上流側）２０ｇを下面貫通穴１８に臨ませると共に、他端側（図示省略した下流側）を前面カバー部材２３の下面に設けた導出穴２７に臨ませて設けられている。なお、特に図示はしていないが、溝の一端側（上流側）２０ｇに臨んでいる下面貫通穴１８に液状異物誘導ガイド片を突設し、該溝一端側の内部方向に向かって前記液状異物誘導ガイド片を挿入させるものとしてもよく、このように構成することで液状異物Ｌを下面貫通穴１８から溝内壁面へと確実に送り込むことができる。
また、溝は前面開放部分２０ｊよりも内底面２０ｈを広くした断面視台形状、すなわち溝の内側壁２０ｉが前面開放部分２０ｊに向かって窄まる方向にテーパ状に形成されているものとすれば、溝内を流れる液状異物は溝内から出ることなく導出穴２７へと誘導される。
本実施例の溝形状の液状異物誘導部２０は、図示形状に限定されず、本発明の範囲内で任意に設計変更可能である。すなわち、溝形状・溝深さなど任意である。
本実施例によれば、下面貫通穴１８から排出された液状異物は、溝形状の液状異物誘導部２０の内側壁２０ｉ若しくは内底壁２０ｈを伝わって流れ落ち、前面カバー部材２３の下面に設けた導出穴２７から下受け皿１３へと排出される。
特に本実施例は、内部空洞７ｄに液状異物誘導部２０の配設スペースが無いか、若しくは狭い場合に大変有効である。
また、本実施例において、上述した実施例１３の構成を併せて採用することもできる。これにより、溝形状の液状異物誘導部２０へと誘導しきれなかった液状異物をリブ形状の液状異物誘導部２０へと誘導させて排出させることが可能となる。
【００７２】
上述した各実施例は、本発明の一例を示したものに過ぎず、何等これらに限定して解釈されるものではなく本発明の範囲内で適宜設計変更可能である。
例えば、各液状異物第二排出機構１６(１６ａ，１６ｂ，１６ｃ)の下位、すなわち下受け皿１３下面に、該液状排出機構１６から排出された液状異物を案内排出するドレン(図示せず)を備えて集中的に排出するようにしても良い。この場合、そのドレン末端は、そのまま遊技者の脚上上方に臨ませるものとしてもよいが、別途備えた回収部に回収するものとしてもよい。このような回収部は、遊技者から直視し得ない遊技機裏側などの位置に設置するのが好ましい。
また、そのドレン若しくはドレンの下流側に液体感知センサを備え、液体が下受け皿１３に流されたことを従業員または店の管理センタなどに知らせ、悪戯早期発見に寄与せしめる任意構成を採用してもよく、本発明の範囲内で適宜種々の構成などを追加・変更することも可能である。なお、上記ドレン構成を液状異物第一排出機構１８の下位、すなわち上受け皿７の下面に備える構成を採用することも可能である。この場合、遊技機に備えられているランプ装置１１ａと１１ｂのいずれか若しくは双方を介して液体流出の検出を光により知らせる技術的手段を採用することも可能である。また、音響により知らせることも併せてあるいは単独ですることができる。
【図面の簡単な説明】
【００７３】
【図１】本発明遊技機の実施例１を示す全体概略斜視図。
【図２】上受け皿と下受け皿部分を拡大すると共に一部切欠いて示す部分拡大正面図。
【図３】上受け皿の底面図。
【図４】本発明遊技機の実施例１を構成する下受け皿に形成される液状異物第二排出機構を示し、（ａ）は概略平面図、（ｂ）は断面して示す概略正面図、（ｃ）は断面して示す概略側面図。
【図５】本発明遊技機の実施例２で、下受け皿に形成される液状異物第二排出機構の他の実施例を示し、（ａ）は概略平面図、（ｂ）は断面して示す概略正面図、（ｃ）は断面して示す概略側面図。
【図６】本発明遊技機の実施例３で、下受け皿に形成される液状異物第二排出機構の他の実施例を示し、（ａ）は概略平面図、（ｂ）は断面して示す概略正面図。
【図７】本発明遊技機の実施例４で、下受け皿に形成される液状異物第二排出機構の他の実施例を示す概略平面図。
【図８】本発明遊技機の実施例５で、下受け皿に形成される液状異物第二排出機構の他の実施例を示す概略平面図。
【図９】本発明遊技機の実施例６で、下受け皿に形成される液状異物第二排出機構の他の実施例を示す概略平面図。
【図１０】本発明遊技機の実施例７で、下受け皿に形成される液状異物排出機構の他の実施例を示す概略平面図。
【図１１】本発明遊技機の実施例８で、上受け皿の他の実施例を示す縦断側面図。
【図１２】図１１の実施例に排出ガイド部を備えた上受け皿の他の実施例を示す縦断正面図。
【図１３】本発明遊技機の実施例９を示す全体概略斜視図。
【図１４】本発明遊技機の実施例１０を示す全体概略斜視図。
【図１５】上受け皿と下受け皿がパネル部材に取り付けられた状態の拡大斜視図。
【図１６】図１５の裏面側を示す拡大斜視図。
【図１７】前面カバー部材を外した状態の正面図。
【図１８】要部の概略斜視図。
【図１９】要部の拡大図。
【図２０】液状異物誘導部の実施例を示す概略斜視図。
【図２１】本発明遊技機の実施例１１における要部を拡大して示す概略断面図。
【図２２】本発明遊技機の実施例１２における要部を拡大して示す概略断面図。
【図２３】本発明遊技機の実施例１３における要部を拡大して示す概略断面図。
【図２４】本発明遊技機の実施例１４における要部を拡大して示す概略断面図。
【符号の説明】
【００７４】
１：遊技機（パチンコ機）
７：上受け皿
１２：余剰遊技球払出口
１３：下受け皿
１３a：余剰遊技球貯留部
１４:球抜取部
１５：開閉扉
１６:液状異物第二排出機構
１６ａ:スリット状の穴
１６ｂ:隙間
１６ｃ:細穴
１８：液状異物第一排出機構
１８ａ：下面貫通穴
１８ｂ：表面排出穴
１８ｃ：空洞貫通穴
２０：液状異物誘導部
２３：前面カバー部材
２４：溢れ球通路
２５：球抜取樋
２６：球抜取通路
２７：導出穴
７００：受け皿本体
【図１】
2004216127.tif 000003
【図２】
2004216127.tif 000004
【図３】
2004216127.tif 000005
【図４】
2004216127.tif 000006
【図５】
2004216127.tif 000007
【図６】
2004216127.tif 000008
【図７】
2004216127.tif 000009
【図８】
2004216127.tif 000010
【図９】
2004216127.tif 000011
【図１０】
2004216127.tif 000012
【図１１】
2004216127.tif 000013
【図１２】
2004216127.tif 000014
【図１３】
2004216127.tif 000015
【図１４】
2004216127.tif 000016
【図１５】
2004216127.tif 000017
【図１６】
2004216127.tif 000018
【図１７】
2004216127.tif 000019
【図１８】
2004216127.tif 000020
【図１９】
2004216127.tif 000021
【図２０】
2004216127.tif 000022
【図２１】
2004216127.tif 000023
【図２２】
2004216127.tif 000024
【図２３】
2004216127.tif 000025
【図２４】
2004216127.tif 000026